(57)【要約】【課題】  本発明は受入孔にて受入れた所定量の粉類を直下のカップ内に余すことなく確実に落入し供給するようにしたスープの素などの粉類のカップ内落入装置を新規に提供するものであるる。【構成】  本発明はスープの素などの粉類を収容するホッパーと該ホッパーの下部に重錘体を挟んで粉類の２つの繰出口を設け、該重錘体とひとつの繰出口に相対して粉類受入用の２つの受入孔を設けたプレートを台板上に配置し、該プレートの往復動にて２つの受入孔を交互に重錘体下に相対させて、該重錘体の下動による上面からの押しにて受入孔内の粉類を直下の掛吊りカップ内に落下供給することを特徴とするスープの素などの粉類のカップ内落入装置にある。【選択図】  図１
2007050916.tif 000002
【特許請求の範囲】
【請求項１】
スープの素などの粉類を収容するホッパーと該ホッパーの下部に重錘体を挟んで粉類の２つの繰出口を設け、該重錘体とひとつの繰出口に相対して粉類受入用の２つの受入孔を設けたプレートを台板上に配置し、該プレートの往復動にて２つの受入孔を交互に重錘体下に相対させて、受入孔内の粉類を該重錘体の下動による上面からの押しにて直下の掛吊りカップ内に落下供給することを特徴とするスープの素などの粉類のカップ内落入装置。
【請求項２】
粉類を受入れた受入孔は移動の際に繰出口との間で擦り切りして受入れ粉類を定量にしてカップ内に供給する請求項１に記載のスープの素などの粉類のカップ内落入装置。
【請求項３】
重錘体はプレート上にあるときは上動し、直下に粉類が相対したときに下動して粉類を押し落下させる請求項１または２に記載のスープの素などの粉類のカップ内落入装置。
【請求項４】
ホッパーは繰出口の上方に粉類を繰出すための揺動体を設ける請求項１乃至３のいずれかに記載のスープの素などの粉類のカップ内落入装置。
【発明の詳細な説明】
【技術分野】
【０００１】
この発明は、カップスープの素としての粉，ラーメンスープの粉，カレー粉など、湿気，ねばり気の強い粉のすべてを掛吊りカップ内に均等に押し落入させる装置に関するものである。
【背景技術】
【０００２】
この種の装置としては実公平７−５２１０３号公報がある。該公報は図３にて示しているように、ストッカー２外に定量穴４１を押し出して粉体１を落下させるようにしている。
【特許文献１】実公平７−５２１０３号公報
【発明の開示】
【発明が解決しようとする課題】
【０００３】
しかしながら、ストッカー２外の大気中に定量穴４１を押し出しても、定量穴４１内の粉体１が例えばカレー粉などのように湿気とねばり気が強く、また具の入っている粉などは定量穴間を架橋して落下しないという課題があり、または一部のみの落下にとどまって均しい量の落下供給をしないという課題がある。
【課題を解決するための手段】
【０００４】
本発明は、スープの素などの粉類を収容するホッパーと該ホッパーの下部に重錘体を挟んで粉類の２つの繰出口を設け、該重錘体とひとつの繰出口に相対して粉類受入用の２つの受入孔を設けたプレートを台板上に配置し、該プレートの往復動にて２つの受入孔を交互に重錘体下に相対させて、受入孔内の粉類を該重錘体の下動による上面からの押しにて直下の掛吊りカップ内に落下供給するようにして、かかる課題を解決したのである。
【発明の効果】
【０００５】
本発明は、ホッパー内の粉類を繰出口より受入れする２つの受入孔を交互に重錘体下に移動させて、該重錘体の下動による押しにて粉類を直下のカップ内に落入するようにしたので、湿気を帯びたり、ねばりの強い粉類，具入りの粉類なども確実に全量を余すことなくカップ内に落入させることができるという効果を生ずる。
【０００６】
２つの受入孔を重錘体下に交互に相対させることで、粉類のカップ内供給速度を著しく速めることができるという効果を生ずる。
【０００７】
粉類を受入れた受入孔は移動の際に繰出口との間で縁切り，擦り切りするので、受入孔内の粉類の量は常に一定してカップに等しい量にて供給することができるという効果を生ずる。
【０００８】
粉類の受入孔はプレートの厚み分の浅型によって重錘体の下動による押しが僅かでも粉類は確実に落下して直下のカップ内に供給されるという効果を生ずる。
【０００９】
繰出口の上方のホッパー内に揺動体を設けて粉類を流動させるようにしたので、粉類は繰出口より途切れなく安定して繰出されて受入孔内に隙間なく充填されるという効果を生ずる。
【発明を実施するための最良の形態】
【００１０】
本発明は、カップを１乃至複数個づつ掛吊りして間歇走行するリテーナーなどのコンベア、または円形に間歇回転走行する掛吊りカップ上の一定位置にホッパーを設け、該ホッパーの下部に重錘体を挟んで粉類の２つの繰出口を設け、該重錘体とひとつの繰出口に相対する粉類受入用の２つの受入孔を設けたプレートを台板上に配置し、該プレートの往復動にて２つの受入孔を交互に重錘体下に相対させて、該重錘体の下動による上面からの押しにて受入孔内の粉類を直下に走行してきた掛吊りカップ内に順次落入させるようにしたのである。この際受入孔は繰出口の下端との間で縁切り、擦り切り移動するようにして定量の粉類を受入れて各カップ内に均等量にて供給するようにしている。
【実施例１】
【００１１】
図１乃至図５は第１実施例であって、３列等にてカップ１３を掛吊りして間歇走行するリテーナーコンベア１４の所定位置上にホッパー１を縦設する。ホッパー１の水平底板２はリテーナーコンベア１４上を横断するように跨いで図２では矩形状を呈しており、掛吊りカップ１３の数と同数の３個の重錘体３を挟んで前後に繰出口４ａ，４ｂを設け、該水平底板２と台板５間に前後方向に水平移動する３個のスライドプレート６を接面挟入する。各プレート６は重錘体３と繰出口４ａ下に位置する粉類の受入孔７ａ，７ｂを設ける。なお図中８は重錘体３のカバー、９は重錘体３の収容筒、１０は繰出口上の揺動体、１１ａは台板の穴、１１ｂはガイド筒、１２はスライドプレート６を進退させるシリンダーである。
【００１２】
図１に示すようにホッパー１内の粉類イは揺動体１０の揺動により繰出口４ａより各受入孔７ａ内に隙間なく入り、次いで図３に示すように各スライドプレート６の前進にて受入孔７ａの上面を繰出口４ａとの間で接面擦り切りして受入れ粉類を定量にして各重錘体３下に移動させ、そこで重錘体３の下動により粉類イは上方から押されて直下の穴１１ａ，ガイド筒１１ｂを経て走行してきた３個の掛吊りカップ１３内に同時に均しく落入されることとなる。
【００１３】
次いで粉類イを受入れた受入孔７ｂを各スライドプレート６の戻し作動にて重錘体３下に相対させ、前記と同様に重錘体３の下動による粉類イの上面押しにて粉類イを直下に走行してきた次列の各掛吊りカップ１３内に均等に落入させるのである。各重錘体３は受入孔７ａ，７ｂがスライドプレート６の厚み分の浅孔形状によって、僅かな下動にて確実に粉類を落下させることとなる。
【００１４】
以上は３列の掛吊りカップ１３に基づいて説明してきたが、掛吊りカップ１３が６個，８個等に増加しても数を合わせることで均しく粉類を落入し供給することができる。
【実施例２】
【００１５】
図６は間歇回転走行する円板１４ａの掛吊りカップ１３上にホッパー１を設けた第２実施例である。図では円板１４ａに２列のカップ１３を掛吊りして間歇走行させる例を示しており、所定の停止位置上にホッパー１を縦設し、２列の掛吊りカップ１３に合わせて２個の重錘体３を挟んで前後に繰出口４ａ，４ｂを設け、該重錘体３とひとつの繰出口４ａ下に受入孔７ａ，７ｂを設けたスライドプレート６をそれぞれ前後動するように配置したほか前例と同じである。
【産業上の利用可能性】
【００１６】
この発明は以上のようにして、ホッパーからスープの素の粉，カップラーメンの粉，カレー粉のほか、湿気，ねばり気の強いすべての粉類を受入孔にて受入れて、直下のカップ等の容器内に落入させる各種の粉類の落入装置に広く利用することができるものである。
【図面の簡単な説明】
【００１７】
【図１】第１実施例の側断面図
【図２】同、平面図
【図３】同、スライドプレートを前進し、粉類を受入れた受入孔を重錘下に移動させ、重錘体の下動により粉類を直下のカップ類に落入させた状態を示す側断面図
【図４】同、重錘体の下動により受入孔内の粉類を押し落とす瞬間を示す部分拡大断面図
【図５】リテーナーコンベアの部分平面図
【図６】粉類のカップ内落入装置を間歇回転走行する円板上に設けた第２実施例を示す平面図
【符号の説明】
【００１８】
１はホッパー
２は水平底板
３は重錘体
４ａ，４ｂは繰出口
５は台板
６はプレート
７ａ，７ｂは受入孔
８は重錘体のカバー
９は重錘体の収容筒
１０は揺動体
１１ａは台板に設けた穴
１１ｂはガイド筒
１２はシリンダー
１３はカップ
１４はリテーナーコンベア
１４ａは間歇回転走行する円板
イは粉類
【図１】
2007050916.tif 000003
【図２】
2007050916.tif 000004
【図３】
2007050916.tif 000005
【図４】
2007050916.tif 000006
【図５】
2007050916.tif 000007
【図６】
2007050916.tif 000008